【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
多色刷り印刷物のデジタル画像データに基づいて、前記多色刷り印刷物のプルーフをハロゲン化銀感光材料を露光した画素の集合として形成する形成装置であって、前記多色刷り印刷物で用いられる色の網点面積率がほぼ１００％における色調を、前記ハロゲン化銀感光材料の露光条件ａに変換する変換手段と、前記色調と異なるあらかじめ定められた色調の露光条件ｂを特定する特定手段と、前記多色刷り印刷物の網点面積率が０％を超えて１００％未満である網点に対応して画像を構成する画素の各々に対して、前記画像を構成する全画素数に対する前記画素ｂの画素数の個数比を、前記網点の網点面積率に応じて変化させて、前記露光条件ａまたは前記露光条件ｂを設定する設定手段と、を備えたことを特徴とするプルーフの形成装置。
【請求項２】
１次色における前記個数比（画素ｂの画素数／（画素ａの画素数＋画素ｂの画素数））を、前記網点の網点面積率の増加にともない、単調に減少するように変化させることを特徴とする請求項１に記載のプルーフの形成装置。
【請求項３】
前記網点の網点面積率が１００％の場合に、前記画素ｂの画素数を略ゼロとすることを特徴とする請求項１または２に記載のプルーフの形成装置。
【請求項４】
多色刷り印刷物のデジタル画像データに基づいて、前記多色刷り印刷物のプルーフをハロゲン化銀感光材料を露光した画素の集合として形成する形成装置であって、前記多色刷り印刷物で用いられる色の網点面積率がほぼ１００％における色調を、前記ハロゲン化銀感光材料の露光条件ａに変換する変換手段と、前記色調と異なるあらかじめ定められた色調の露光条件ｂを特定する特定手段と、前記デジタル画像データから網点境界を検出する検出手段と、前記多色刷り印刷物の網点面積率が０％を超えて１００％未満である網点に対応して画像を構成する画素の各々に対して、前記検出された網点境界に沿った画素には露光条件ｂを設定し、それ以外の画素には露光条件ａを設定する設定手段と、を備えたことを特徴とするプルーフの形成装置。
【請求項５】
多色刷り印刷物のデジタル画像データに基づいて、前記印刷物の網点画積率が０％を超えて１００％未満である網点の画像を、前記印刷物の網点面積率がほぼ１００％の色調に対応する色調の画素ａと、前記画素ａの色調と異なるあらかじめ定められた色調の画素ｂとを用い、かつ前記網点の網点面積率に応じて、前記網点の画像を構成する全画素数に対する前記画素ｂの画素数の個数比を変化させて構成し、前記画像に従ってハロゲン化銀感光材料を露光することを特徴とする前記多色刷り印刷物のプルーフの形成方法。
【請求項６】
前記のハロゲン化銀感光材料を露光する露光量が、ほぼ連続的に制御されることを特徴とする請求項５に記載のプルーフの形成方法。
【請求項７】
前記画素ｂに対する露光量が、前記画素ａに対する露光量よりも大きいことを特徴とする請求項５または６に記載のプルーフの形成方法。
【請求項８】
多色刷り印刷物のデジタル画像データに基づいて、ハロゲン化銀感光材料を用いて画素の集合として画像形成された、前記印刷物のプルーフであって、前記印刷物の網点面積率が０％を超えて１００％未満である網点に対応する前記プルーフの網点が、前記印刷物の網点面積率がほぼ１００％の色調に対応する色調の画素ａと、前記画素ａの色調と異なるあらかじめ定められた色調の画素ｂとを組み合わせて構成されており、かつ、前記網点の網点面積率に応じて、前記網点を構成する全画素数に対する前記画素ｂの画素数の個数比が変化していることを特徴とするプルーフ。
【請求項９】
多色刷り印刷物のデジタル画像データに基づいて、ハロゲン化銀感光材料を用いて画素の集合として画像形成された、前記印刷物のプルーフであって、前記印刷物の網点面積率が０％を超えて１００％未満である網点に対応する前記プルーフの網点が、前記印刷物の網点面積率がほぼ１００％の色調に対応する色調の画素ａと、前記画素ａの色調と異なるあらかじめ定められた色調の画素ｂとを組み合わせて構成されており、かつ、前記画素ｂは、網点部と非網点部の境界線に沿って、前記境界線から一定個数幅となるように配置されたことを特徴とするプルーフ。
【請求項１０】
前記一定個数が、５個以内であることを特徴とする請求項９に記載のプルーフ。
【請求項１１】
前記画素ｂの色調が、前記画素ａの色調ごとに定められていることを特徴とする請求項８乃至１０のいずれか１項に記載のプルーフ。
【請求項１２】
前記画素ｂの色調が、前記画素ａの色調の濃度を高めたものであることを特徴とする請求項８乃至１１のいずれか１項に記載のプルーフ。
【手続補正２】
【補正対象書類名】明細書
【補正対象項目名】発明の名称
【補正方法】変更
【補正の内容】
【発明の名称】プルーフの形成装置、プルーフの形成方法及びプルーフ
【手続補正３】
【補正対象書類名】明細書
【補正対象項目名】００１４
【補正方法】変更
【補正の内容】
【００１４】
発明の第一は、多色刷り印刷物のデジタル画像データに基づいて、前記多色刷り印刷物のプルーフをハロゲン化銀感光材料を露光した画素の集合として形成する形成装置であって、前記多色刷り印刷物で用いられる色の網点面積率がほぼ１００％における色調を、前記ハロゲン化銀感光材料の露光条件ａに変換する変換手段と、前記色調と異なるあらかじめ定められた色調の露光条件ｂを特定する特定手段と、前記多色刷り印刷物の網点面積率が０％を超えて１００％未満である網点に対応して画像を構成する画素の各々に対して、前記画像を構成する全画素数に対する前記画素ｂの画素数の個数比を、前記網点の網点面積率に応じて変化させて、前記露光条件ａまたは前記露光条件ｂを設定する設定手段と、を備えたことを特徴とするプルーフの形成装置である。
【手続補正４】
【補正対象書類名】明細書
【補正対象項目名】００１５
【補正方法】変更
【補正の内容】
【００１５】
発明の第二は、多色刷り印刷物のデジタル画像データに基づいて、前記多色刷り印刷物のプルーフをハロゲン化銀感光材料を露光した画素の集合として形成する形成装置であって、前記多色刷り印刷物で用いられる色の網点面積率がほぼ１００％における色調を、前記ハロゲン化銀感光材料の露光条件ａに変換する変換手段と、前記色調と異なるあらかじめ定められた色調の露光条件ｂを特定する特定手段と、前記デジタル画像データから網点境界を検出する検出手段と、前記多色刷り印刷物の網点面積率が０％を超えて１００％未満である網点に対応して画像を構成する画素の各々に対して、前記検出された網点境界に沿った画素には露光条件ｂを設定し、それ以外の画素には露光条件ａを設定する設定手段と、を備えたことを特徴とするプルーフの形成装置である。
【手続補正５】
【補正対象書類名】明細書
【補正対象項目名】００１６
【補正方法】変更
【補正の内容】
【００１６】
発明の第三は、多色刷り印刷物のデジタル画像データに基づいて、前記印刷物の網点画積率が０％を超えて１００％未満である網点の画像を、前記印刷物の網点面積率がほぼ１００％の色調に対応する色調の画素ａと、前記画素ａの色調と異なるあらかじめ定められた色調の画素ｂとを用い、かつ前記網点の網点面積率に応じて、前記網点の画像を構成する全画素数に対する前記画素ｂの画素数の個数比を変化させて構成し、前記画像に従ってハロゲン化銀感光材料を露光することを特徴とする前記多色刷り印刷物のプルーフの形成方法である。
【手続補正６】
【補正対象書類名】明細書
【補正対象項目名】００１７
【補正方法】変更
【補正の内容】
【００１７】
発明の第四は、多色刷り印刷物のデジタル画像データに基づいて、ハロゲン化銀感光材料を用いて画素の集合として画像形成された、前記印刷物のプルーフであって、前記印刷物の網点面積率が０％を超えて１００％未満である網点に対応する前記プルーフの網点が、前記印刷物の網点面積率がほぼ１００％の色調に対応する色調の画素ａと、前記画素ａの色調と異なるあらかじめ定められた色調の画素ｂとを組み合わせて構成されており、かつ、前記網点の網点面積率に応じて、前記網点を構成する全画素数に対する前記画素ｂの画素数の個数比が変化していることを特徴とするプルーフである。
【手続補正７】
【補正対象書類名】明細書
【補正対象項目名】００１８
【補正方法】変更
【補正の内容】
【００１８】
発明の第五は、多色刷り印刷物のデジタル画像データに基づいて、ハロゲン化銀感光材料を用いて画素の集合として画像形成された、前記印刷物のプルーフであって、前記印刷物の網点面積率が０％を超えて１００％未満である網点に対応する前記プルーフの網点が、前記印刷物の網点面積率がほぼ１００％の色調に対応する色調の画素ａと、前記画素ａの色調と異なるあらかじめ定められた色調の画素ｂとを組み合わせて構成されており、かつ、前記画素ｂは、網点部と非網点部の境界線に沿って、前記境界線から一定個数幅となるように配置されたことを特徴とするプルーフである。